(57)【要約】【課題】建物の内部において視覚障害者を誘導するのに好適なシステムであって、構造が簡単で安価に提供することができると共に、建物完成後であっても簡単に取り付けることができる建物内部の視覚障害者誘導システム並びにこれに使用する壁紙およびカーペット又はカーペットタイルを提供することを目的とする。【解決手段】建物１０内部の通路に沿った壁面Ｗに固着され視覚障害者の進行方向に向けて延設される磁性体を有するシート状の誘導部材３０，４０と、視覚障害者の手に装着できると共に、前記誘導部材３０，４０の磁性体に吸着する磁石部材を有する装着品７０（７１），７２（７３）とを備え、前記誘導部材と前記装着品との吸着力によって、前記誘導部材３０，４０を感知せしめて所望の進行方向へと誘導するよう構成した。【選択図】    図１
2011125443.tif 000002
【特許請求の範囲】
【請求項１】
建物内部の通路に沿った壁面に固着され視覚障害者の進行方向に向けて延設される磁性体を有するシート状の誘導部材と、
視覚障害者の手に装着できると共に、前記誘導部材の磁性体に吸着する磁石部材を有する装着品とを備え、
前記誘導部材と前記装着品との吸着力によって、前記誘導部材を感知せしめて所望の進行方向へと誘導してなることを特徴とする建物内部の視覚障害者誘導システム。
【請求項２】
建物内部の通路に沿った床面に固着され視覚障害者の進行方向に向けて延設される磁性体を有するシート状の誘導部材と、
視覚障害者の足に装着できると共に、前記誘導部材の磁性体に吸着する磁石部材を有する装着品とを備え、
前記誘導部材と前記装着品との吸着力によって、前記誘導部材を触覚にて感知せしめて所望の進行方向へと誘導してなることを特徴とする請求項１に記載の建物内部の視覚障害者誘導システム。
【請求項３】
前記誘導部材は、直近に迫る進行方向の向きを教示する方向指示部を備えてなることを特徴とする請求項１又は２に記載の建物内部の視覚障害者誘導システム。
【請求項４】
前記誘導部材は、進行方向の直近にあるものを告知する注意喚起部を備えてなることを特徴とする請求項１乃至３の何れかに記載の建物内部の視覚障害者誘導システム。
【請求項５】
前記装着品は手袋状に形成され、前記装着品の手の甲部分及び／又は手の指部分に磁石を固着してなることを特徴とする請求項１乃至４の何れかに記載の建物内部の視覚障害者誘導システム。
【請求項６】
前記装着品は指輪状に形成され、前記装着品の環状部に磁石を固着してなることを特徴とする請求項１乃至４の何れかに記載の建物内部の視覚障害者誘導システム。
【請求項７】
前記装着品は靴下又は足袋状に形成され、前記装着品の足底部分に磁石を固着してなることを特徴とする請求項２乃至３の何れかに記載の建物内部の視覚障害者誘導システム。
【請求項８】
請求項１乃至７の何れかの建物内部の視覚障害者誘導システムの誘導部材であって、表面は磁性体粉末を塗布すると共に、裏面は剥離紙を有する接着層を設けてなることを特徴とする帯状誘導部材。
【請求項９】
請求項１乃至７の何れかに記載の建物内部の視覚障害者誘導システムに使用する壁紙であって、請求項１乃至７の何れかに記載の誘導部材を裏面に固着してなることを特徴とする壁紙。
【請求項１０】
請求項１乃至７の何れかに記載の建物内部の視覚障害者誘導システムに使用するカーペット又はカーペットタイルであって、請求項１乃至７の何れかに記載の誘導部材を裏面又は内部に固着してなることを特徴とするカーペット又はカーペットタイル。
【発明の詳細な説明】
【技術分野】
【０００１】
本発明は、視覚障害者が建物の内部を安心して自由に行動することができ、構造が簡単で安価に提供することができると共に、建物完成後であっても簡単に取り付けることができる建物内部の視覚障害者誘導システム並びにこれに使用する帯状誘導部材、壁紙、カーペット及びカーペットタイルに関する。
【背景技術】
【０００２】
従来から、視覚障害者誘導システムとしては、例えば、特開平８−６４８９号（特許文献１）に記載されているものが公知である。前記視覚障害者誘導システムは、駅構内やプラットホーム、トイレや出口、上り階段や下り階段、歩道や交差点、一般の建物の中等で、視覚障害者を安全に誘導し案内するための敷設板並びに杖に関するものであり、磁力線透過体で形成された板本体の内部に所要数の磁石を内設し、内設された磁石の配置に応じて表面付近の空間に誘導案内情報を磁力線のパターンで示すものである。
【０００３】
前記のように構成された敷設板によれば、内設された磁石の敷設板の表面付近の空間に磁力線が走るので、敷設板の材質は磁力線透過体であれば、プラスチック，ゴム，コンクリート，木材，アルミ等何であっても使用可能である。また、使用する場所によって、適宜選択すればよく、磁石は磁力線を発するものであれば、永久磁石，電磁石等何であっても使用可能となる。
【０００４】
そして、前記磁力線を感知するために、杖に、磁力線が届く範囲に先端に配された磁力線受信アンテナを設けて、内蔵された磁力線受信器で前記敷設板表面付近の空間の磁力線を受信して、その誘導により行動することができる。
【先行技術文献】
【特許文献】
【０００５】
【特許文献１】特開平８−６４８９号  第１頁、第１図
【発明の概要】
【発明が解決しようとする課題】
【０００６】
しかしながら、前記視覚障害者誘導システムにおいては、敷き板に埋設された磁石を感知するために、内部に磁力線受信アンテナおよび磁力線受信器広告を備えた杖が必要となり、特に建物の内部を移動する場合であっても、移動に杖が必要となり、大変面倒で不便なものであり、建物の内部の視覚障害者誘導システムとしては適さない。
【０００７】
本発明は、かかる事情に鑑みてなされたものであって、視覚障害者誘導システムであって、建物の内部に施行するのに好適なシステムであって、構造が簡単で安価に提供することができると共に、建物完成後であっても簡単に取り付けることができる建物の内部の視覚障害者誘導システム並びにこれに使用する帯状誘導部材、壁紙、カーペット及びカーペットタイルを提供することを目的とする。
【課題を解決するための手段】
【０００８】
請求項１に記載の建物内部の視覚障害者誘導システムは、建物内部の通路に沿った壁面に固着され視覚障害者の進行方向に向けて延設される磁性体を有するシート状の誘導部材と、視覚障害者の手に装着できると共に、前記誘導部材の磁性体に吸着する磁石部材を有する装着品とを備え、前記誘導部材と前記装着品との吸着力によって、前記誘導部材を感知せしめて所望の進行方向へと誘導してなることを特徴とする。
【０００９】
請求項１に記載の建物内部の視覚障害者誘導システムにあっては、構造が簡単で安価に提供することができると共に、建物完成後であっても簡単に取り付けることができ、前記視覚障害者は、住居（建物）の内部に入ってからは、前記誘導部材を、手に装着した前記装着品の有する磁力によって、吸着力を手の触覚にて感知して、それを辿りながら移動することができる。
【００１０】
請求項２に記載の建物内部の視覚障害者誘導システムは、請求項１に記載の建物内部の視覚障害者誘導システムにおいて、建物内部の通路に沿った床面に固着され視覚障害者の進行方向に向けて延設される磁性体を有するシート状の誘導部材と、視覚障害者の足に装着できると共に、前記誘導部材の磁性体に吸着する磁石部材を有する装着品とを備え、前記誘導部材と前記装着品との吸着力によって、前記誘導部材を触覚にて感知せしめて所望の進行方向へと誘導してなることを特徴とする。
【００１１】
請求項２に記載の建物内部の視覚障害者誘導システムにあっては、構造が簡単で安価に提供することができると共に、建物完成後であっても簡単に取り付けることができ、前記視覚障害者は、住居（建物）の内部に入ってからは、前記誘導部材を、足（および手）に装着した前記装着品の有する磁力によって、吸着力を手の触覚にて感知して、それを辿りながら移動することができる。
【００１２】
請求項３に記載の建物内部の視覚障害者誘導システムは、請求項１又は２に記載の建物内部の視覚障害者誘導システムにおいて、前記誘導部材は、直近に迫る進行方向の向きを教示する方向指示部を備えてなることを特徴とする。
【００１３】
請求項３に記載の建物内部の視覚障害者誘導システムにあっては、前記視覚障害者は、住居（建物）の内部に入ってからは、進行方向先に岐路や曲がり角がある場合には、前記誘導部材に設けた前記方向指示部の形状（向き）を感知して、その形状によって特定された進行方向先の曲がる方向がその直前で判る。
【００１４】
請求項４に記載の建物内部の視覚障害者誘導システムは、請求項１乃至３の何れかに記載の建物内部の視覚障害者誘導システムにおいて、前記誘導部材は、進行方向の直近にあるものを告知する注意喚起部を備えてなることを特徴とする。
【００１５】
請求項４に記載の建物内部の視覚障害者誘導システムにあっては、前記視覚障害者は、住居（建物）の内部に入ってからは、進行方向先に硝子窓やガス台等の注意を要するものが存在する場合には、前記誘導部材に設けた前記注意喚起部の形状を感知して、その形状によって特定された進行方向先の注意を要するものの存在がその直前で判るので、建物の内部において、安全かつ安心して移動を行うことができる。
【００１６】
請求項５に記載の建物内部の視覚障害者誘導システムは、請求項１乃至４の何れかに記載の建物内部の視覚障害者誘導システムにおいて、前記装着品は手袋状に形成され、前記装着品の手の甲部分及び／又は手の指部分に磁石を固着してなることを特徴とする。
【００１７】
請求項５に記載の建物内部の視覚障害者誘導システムにあっては、前記装着品を容易に製作することができる。
【００１８】
請求項６に記載の建物内部の視覚障害者誘導システムは、請求項１乃至４の何れかに記載の建物内部の視覚障害者誘導システムにおいて、前記装着品は指輪状に形成され、前記装着品の環状部に磁石を固着してなることを特徴とする。
【００１９】
請求項６に記載の建物内部の視覚障害者誘導システムにあっては、前記装着品を容易に製作することができる。
【００２０】
請求項７に記載の建物内部の視覚障害者誘導システムは、請求項２乃至３の何れかに記載の建物内部の視覚障害者誘導システムにおいて、前記装着品は靴下又は足袋状に形成され、前記装着品の足底部分に磁石を固着してなることを特徴とする。
【００２１】
請求項７に記載の建物内部の視覚障害者誘導システムにあっては、前記装着品を容易に製作することができる。
【００２２】
請求項８に記載の帯状誘導部材は、請求項１乃至７の何れかの建物内部の視覚障害者誘導システムに使用する誘導部材であって、表面は磁性体粉末を塗布すると共に、裏面は剥離紙を有する接着層を設けてなることを特徴とする。
【００２３】
請求項８に記載の帯状誘導部材にあっては、前記誘導部材を容易に製作することができ、また、容易に施行することができる。
【００２４】
請求項９に記載の壁紙は、請求項１乃至７の何れかに記載の建物内部の視覚障害者誘導システムに使用する壁紙であって、請求項１乃至７の何れかに記載の誘導部材を裏面に固着してなることを特徴とする。
【００２５】
請求項９に記載の壁紙にあっては、請求項１乃至７の何れかに記載の建物内部の視覚障害者誘導システムを容易に施行することができる。
【００２６】
請求項１０に記載のカーペット又はカーペットタイルは、請求項１乃至７の何れかに記載の建物内部の視覚障害者誘導システムに使用するカーペット又はカーペットタイルであって、請求項１乃至７の何れかに記載の誘導部材を裏面又は内部に固着してなることを特徴とする。
【００２７】
請求項１０に記載のカーペット又はカーペットタイルにあっては、請求項１乃至７の何れかに記載の建物内部の視覚障害者誘導システムを容易に施行することができる。
【発明の効果】
【００２８】
請求項１に記載の建物内部の視覚障害者誘導システムによれば、建物内部の通路に沿った壁面に固着され視覚障害者の進行方向に向けて延設される磁性体を有するシート状の誘導部材と、視覚障害者の手に装着できると共に、前記誘導部材の磁性体に吸着する磁石部材を有する装着品とを備え、前記誘導部材と前記装着品との吸着力によって、前記誘導部材を感知せしめて所望の進行方向へと誘導することができるので、構造が簡単で安価に提供することができると共に、建物完成後であっても簡単に取り付けることができ、前記視覚障害者は、住居（建物）の内部に入ってからは、前記誘導部材を、手に装着した前記装着品の有する磁力によって、吸着力を手の触覚にて感知して、それを辿りながら移動することができる。
【００２９】
請求項２に記載の建物内部の視覚障害者誘導システムによれば、建物内部の通路に沿った床面に固着され視覚障害者の進行方向に向けて延設される磁性体を有するシート状の誘導部材と、視覚障害者の足に装着できると共に、前記誘導部材の磁性体に吸着する磁石部材を有する装着品とを備え、前記誘導部材と前記装着品との吸着力によって、前記誘導部材を触覚にて感知せしめて所望の進行方向へと誘導することができるので、構造が簡単で安価に提供することができると共に、建物完成後であっても簡単に取り付けることができ、前記視覚障害者は、住居（建物）の内部に入ってからは、前記誘導部材を、足（および手）に装着した前記装着品の有する磁力によって、吸着力を手の触覚にて感知して、それを辿りながら移動することができる。
【００３０】
請求項３に記載の建物内部の視覚障害者誘導システムによれば、請求項１又は２に記載の建物内部の視覚障害者誘導システムにおいて、前記誘導部材は、直近に迫る進行方向の向きを教示する方向指示部を備えているので、前記視覚障害者は、住居（建物）の内部に入ってからは、進行方向先に岐路や曲がり角がある場合には、前記誘導部材に設けた前記方向指示部の形状（向き）を感知して、その形状によって特定された進行方向先の曲がる方向がその直前で判る。
【００３１】
請求項４に記載の建物内部の視覚障害者誘導システムによれば、請求項１乃至３の何れかに記載の建物内部の視覚障害者誘導システムにおいて、前記誘導部材は、進行方向の直近にあるものを告知する注意喚起部を備えているので、前記視覚障害者は、住居（建物）の内部に入ってからは、進行方向先に硝子窓やガス台等の注意を要するものが存在する場合には、前記誘導部材に設けた前記注意喚起部の形状を感知して、その形状によって特定された進行方向先の注意を要するものの存在がその直前で判るので、建物の内部において、安全かつ安心して移動を行うことができる。
【００３２】
請求項５に記載の建物内部の視覚障害者誘導システムによれば、請求項１乃至４の何れかに記載の建物内部の視覚障害者誘導システムにおいて、前記装着品は手袋状に形成され、前記装着品の手の甲部分及び／又は手の指部分に磁石を固着しているので、前記装着品を容易に製作することができる。
【００３３】
請求項６に記載の建物内部の視覚障害者誘導システムによれば、請求項１乃至４の何れかに記載の建物内部の視覚障害者誘導システムにおいて、前記装着品は指輪状に形成され、前記装着品の環状部に磁石を固着しているので、前記装着品を容易に製作することができる。
【００３４】
請求項７に記載の建物内部の視覚障害者誘導システムによれば、請求項２乃至３の何れかに記載の建物内部の視覚障害者誘導システムにおいて、前記装着品は靴下又は足袋状に形成され、前記装着品の足底部分に磁石を固着しているので、前記装着品を容易に製作することができる。
【００３５】
請求項８に記載の帯状誘導部材によれば、請求項１乃至７の何れかの建物内部の視覚障害者誘導システムに使用する誘導部材であって、表面は磁性体粉末を塗布すると共に、裏面は剥離紙を有する接着層を設けているので、前記誘導部材を容易に製作することができ、また、容易に施行することができる。
【００３６】
請求項９に記載の建物内部の壁紙によれば、請求項１乃至７の何れかに記載の建物内部の視覚障害者誘導システムに使用する壁紙であって、請求項１乃至７の何れかに記載の誘導部材を裏面に固着しているので、請求項１乃至７の何れかに記載の建物内部の視覚障害者誘導システムを容易に施行することができる。
【００３７】
請求項１０に記載のカーペット又はカーペットタイルによれば、請求項１乃至７の何れかに記載の建物内部の視覚障害者誘導システムに使用するカーペット又はカーペットタイルであって、請求項１乃至７の何れかに記載の誘導部材を裏面又は内部に固着しているので、請求項１乃至７の何れかに記載の建物内部の視覚障害者誘導システムを容易に施行することができる。
【図面の簡単な説明】
【００３８】
【図１】本発明にかかる建物内部の視覚障害者誘導システムを適用した住宅の俯瞰図である。
【図２】壁面及び床面に誘導部材を配置した住宅の通路（廊下）の部分斜視図である。
【図３】壁面に方向指示部を有する誘導部材を配置した住宅の通路（廊下）の部分斜視図である。
【図４】壁面に他の方向指示部を有する誘導部材を配置した住宅の通路（廊下）の部分斜視図である。
【図５】壁面に他の方向指示部を有する誘導部材を配置した住宅の通路（廊下）の部分斜視図である。
【図６】壁面に他の方向指示部を有する誘導部材を配置した住宅の通路（廊下）の部分斜視図である。
【図７】壁面に注意喚起部を有する誘導部材を配置した住宅の通路（廊下）の部分斜視図である。
【図８】壁面に他の注意喚起部を有する誘導部材を配置した住宅の通路（廊下）の部分斜視図である。
【図９】壁面に他の注意喚起部を有する誘導部材を配置した住宅の通路（廊下）の部分斜視図である。
【図１０】装着品（指輪）の斜視図である。
【図１１】他の装着品（手袋）の正面図である。
【図１２】他の装着品（靴下）の正面図である。
【図１３】他の装着品（足袋）の平面図である。
【図１４】他の装着品（足袋）の底面図である。
【図１５】壁紙の裏面図である。
【図１６】タイルカーペットの裏面図である。
【図１７】タイルカーペットの裏面図である。
【図１８】タイルカーペットの要部断面図である。
【発明を実施するための形態】
【００３９】
以下、本発明を実施するための形態を図面に基づいて具体的に説明する。
【００４０】
図１は、本発明に係る建物内部の視覚障害者誘導システムを採用した住居の俯瞰図である。
【００４１】
図１において、１０は本発明に係る建物内部の視覚障害者誘導システムを採用した住居であり、説明上、図面の上側を北、下側を南、向かって右側を東、向かって左側を西とする。
【００４２】
前記住居１０は、玄関１１を入ると廊下１２が北側に延びており、前記廊下１２の西側には、トイレ１３が配置され、その南側に洗面所１４、浴室１５が夫々通路を介して続いている。前記廊下１２の突き当たりには、ダイニング１６が配置され、前記ダイニング１６の西側にはキッチン１７が配置される。前記キッチン１７には、西側にガス台７ａが配置されている。
【００４３】
前記廊下１２は、Ｌ字状に東側に右折しており、右折地点から進行方向左手側（北側）にはリビング１８が配置されており、進行方向右手側（南側）には洋室１９と、その東側に和室２０が配置されている。
【００４４】
前記ダイニング１６と前記リビング１８の北側には、夫々硝子戸１６ａ、１８ａが配置されており、前記洋室１９と和室２０の南側には夫々が硝子窓１９ａ，２０ａが配置されている。
【００４５】
また、前記廊下１２と前記トイレ１３との間、前記廊下１２と前記ダイニングとの間および前記廊下１２と前記洋室１９との間には夫々ドア１３ｄ，１６ｄおよび１９ｄとが配置されており、前記廊下１２と前記和室２０との間には襖２０ｄが配置されている。
【００４６】
以上の構成からなる住居１０において、３０は壁面Ｗに貼られた誘導部材であり、また、４０は床面Ｆ（廊下１２を含む）に貼られた誘導部材である。
【００４７】
本発明に係る建物内部の視覚障害者誘導システムは、前記誘導部材３０（４０）と、後述する手又は足に装着する装着品７０（７１，７２，７３）とを備えて構成されるものである。以下、詳細に説明する。
【００４８】
図２は壁面及び床面に誘導部材を配置した住宅の通路（廊下）の部分斜視図であり、図３乃至図６は壁面に方向指示部を有する誘導部材を配置した住宅の通路（廊下）の部分斜視図であり、図７乃至図９は壁面に注意喚起部を有する誘導部材を配置した住宅の通路（廊下）の部分斜視図である。
【００４９】
図１乃至図９において、前記誘導部材３０，４０は、夫々鉄等の磁石に吸着する性質を有する素材を粉末状にして固着させた帯状のシート材であり、裏面に剥離紙を有する接着層を形成している。
【００５０】
図１乃至図９に示すように、前記誘導部材３０は、前記壁面Ｗにおいて、視覚障害者が前記壁面Ｗに手をふれて伝いながら歩行するのに好適な高さ（一般的には、７００ｍｍ〜１５００ｍｍ程度の高さ）に、進路方向（この場合、水平方向）に沿って、２条平行して貼着されており、また、前記誘導部材４０は、前記床面Ｆに、進路方向に沿って、２条平行して貼着されている。前記誘導部材４０は、各部屋内においては、配置された家具等を避けるようにして固着されている。
【００５１】
そして、前記誘導部材３０には、図３乃至図６に示すように、通路の進行先に曲がり角がある場合に、その曲がり角の少し手前において、直近に迫る進行方向の向き（曲がり角の向き）を教示する方向指示部５０（５０ａ，５０ｂ，５０ｃ，５０ｄ）を設けている。
【００５２】
図３に示す方向指示部５０ａ，５０ａは、前記誘導部材３０，４０と同様の部材にて構成されており、進行先が右折していることを示す方向指示部であり、前記帯状誘導部材３０，３０の先端を上向きに直角に適当長さ曲折して形成している。
【００５３】
また、図４に示す方向指示部５０ｂ，５０ｂは、前記誘導部材３０，４０と同様の部材にて構成されており、進行先が左折していることを示す方向指示部であり、前記帯状誘導部材３０，３０の先端を下向きに直角に適当長さ曲折して形成している。
【００５４】
また、図５に示す方向指示部５０ｃ，５０ｃは、前記誘導部材３０，４０と同様の部材にて構成されており、進行先が行き止まりで右折及び右折していることを示す方向指示部であり、上側の前記帯状誘導部材３０を上向きに直角に適当長さ曲折させると共に、下側の前記帯状誘導部材３０を下向きに直角に適当長さ曲折させて形成している。
【００５５】
さらに、図６に示す方向指示部５０ｄ，５０ｄは、前記誘導部材３０，４０と同様の部材にて構成されており、進行先が直進及び右折していることを示す方向指示部であり、上側の前記帯状誘導部材３０を上向きに直角に適当長さ曲折させると直進させ、下側の前記帯状誘導部材３０を真っ直ぐに延設させて形成している。
【００５６】
また、前記誘導部材３０には、図７乃至図９に示すように、通路の進行先に、硝子窓やガス台等の注意を要するものが存在する場合に、その存在箇所の少し手前において、直近に迫る要注意物を告知する注意喚起部６０（６０ａ，６０ｂ，６０ｃ）を設けている。
【００５７】
図７に示す注意喚起部６０ａは、前記誘導部材３０，４０と同じ素材にて環状に形成されており、前記誘導部材３０，３０の先端に設けられており、進行方向の直近にトイレがあることを示している。
【００５８】
また、図８に示す注意喚起部６０ａは、前記誘導部材３０，４０と同じ素材にて三角状に形成されており、前記誘導部材３０，３０の先端に設けられており、進行方向の直近に硝子窓があることを示している。
【００５９】
さらに、図９に示す注意喚起部６０ａは、前記誘導部材３０，４０と同じ素材にてバツ状に形成されており、前記誘導部材３０，３０の先端に設けられており、進行方向の直近にガス台があることを示している。
【００６０】
図１０は、装着品（指輪）の斜視図であり、図１１は他の装着品（手袋）の正面図であり、図１２は他の装着品（靴下）の正面図であり、図１３は他の装着品（足袋）の平面図であり、図１４は他の装着品（足袋）の底面図である。
【００６１】
図１０に示す指輪７０は、着磁された金属製の指輪であり、図１１に示す手袋７１は甲の部分に長方形のシート状の磁石７１ｂを取り付けたものであり、図１２に示す靴下７２はつま先から足の甲部にかけてシート状の磁石７２ｂを取り付けたものであり、図１３及び図１４に示す足袋７３は、つま先にシート状の磁石７３ｂを取り付けたものである。
【００６２】
前記指輪７０又は前記手袋７１は、手に装着する装着品であり、着磁された指輪自体又は磁石部７１ｂを有しており、前記誘導部材３０、前記方向指示部５０（５０ａ，５０ｂ，５０ｃ，５０ｄ）および前記注意喚起部６０（６０ａ，６０ｂ，６０ｃ）と、磁力により、吸着されるものである。
【００６３】
また、前記靴下７２又は前記足袋７３、足に装着する装着品であり、夫々磁石部７２ｂ，７３ｂを有しており、前記誘導部材４０と、磁力により、吸着されるものである。
【００６４】
なお、前記建物内部の視覚障害者誘導システムにおいては、少なくとも、前記壁面Ｗに固着された前記誘導部材３０とこれを感知する装着体７０（又は７１）を備えておれば良く、前記床面Ｆに固着した前記誘導部材４０およびこれを感知する装着体７２（又は７３）は設けなくとも良い。
【００６５】
また、前記各方向指示部５０（５０ａ，５０ｂ，５０ｃ，５０ｄ）および前記各注意喚起部６０（６０ａ，６０ｂ，６０ｃ）は、帯状のシート材で形成できる形状であれば、適宜の形状を選択して形成することができる。また、前記各注意喚起部６０の対象である注意喚起物も適宜のものを選択することが可能である。すなわち、前記各方向指示部５０（５０ａ，５０ｂ，５０ｃ，５０ｄ）は曲がり先と形状が１対１で関連づけられて、予め視覚障害者に了知されていれば良く、また、同様に前記各注意喚起部６０（６０ａ，６０ｂ，６０ｃ）は、注意喚起物とそれを示す形状が１対１で関連づけられて、予め視覚障害者に了知してされていれば良い。
【００６６】
また、前記誘導部材４０に、前記誘導部材３０と同様に、前記各方向指示部５０（５０ａ，５０ｂ，５０ｃ，５０ｄ）および前記各注意喚起部６０（６０ａ，６０ｂ，６０ｃ）を設けても良い。
【００６７】
また、図１５に示すように、前記誘導部材３０を、鉄等の磁石に吸着する性質を有する素材を粉末状にして固着させた帯状のシート材を予め壁紙ＷＰの裏面に固着して、一体として、建物内部の視覚障害者誘導システムに使用する前記壁紙ＷＰとしても良い。
【００６８】
さらに、図１６および図１７に示すように、前記誘導部材４０を、鉄等の磁石に吸着する性質を有する素材を粉末状にして固着させた帯状のシート材を予めカーペットタイルＣＴの裏面又は、図１８に示すように、内部に固着して、建物内部の視覚障害者誘導システムに使用する一体としてカーペットタイルＣＴとしても良く、また、同様にカーペット（図示せず）の裏面又は表面に鉄等の磁石に吸着する性質を有する素材を粉末状にして固着させた帯状のシート材を固着して、建物内部の視覚障害者誘導システムに使用するカーペットとしても良い。そして、図１６（ｃ）〜（ｆ）に示すカーペットタイルＣＴのように、方向指示部５０ａ，５０ｂ，５０ｃ，５０ｄを設けても良い。また、図１７に示すように、前記注意喚起部６０ａ，６０ｂ，６０ｃを設けても良い。
【００６９】
以上の構成からなる建物内部の視覚障害者誘導システムにおいては、前記誘導部材３０，４０は、前記住居１０を建築する場合には、予め、前記壁面Ｗおよび前記床Ｆに貼着して、その上から壁紙を貼り、薄手のカーペットを敷けば良く、簡単に施工できる。また、既に完成されている住居１０であっても、壁紙およびカーペット等を剥離して、前記と同様の工程にて施行できるので、簡単かつ安価に施工することができる。
【００７０】
そして、建物内部の視覚障害者誘導システムを採用する建物においては、前記視覚障害者は、住居（建物）の内部に入ってからは、壁面Ｗに配された前記誘導部材３０および廊下に配された前記誘導部材４０を、手足に装着した前記装着品７０（又は７１）および７２（又は７３）の有する磁力によって、吸着力を手又は足の触覚にて感知して、それを辿りながら移動することができ、進行方向先に岐路や曲がり角がある場合には、前記誘導部材３０に設けた前記方向指示部５０（５０ａ，５０ｂ，５０ｃ，５０ｄ）の形状（向き）を感知して、その形状によって特定された進行方向先の曲がる方向がその直前で判り、また、進行方向先に硝子窓やガス台等の注意を要するものが存在する場合には、前記誘導部材３０に設けた前記注意喚起部６０（６０ａ，６０ｂ，６０ｃ）の形状を感知して、その形状によって特定された進行方向先の注意を要するものの存在がその直前で判るので、建物の内部において、安全かつ安心して移動を行うことができる。
【００７１】
また、前記壁紙ＷＰやカーペットＣＰ（カーペットタイルＣＴ）に、予め、前記誘導部材３０，４０を固着しておけば、より簡単に施工を行うことができる。特に、前記誘導部材４０について、前記カーペットタイルＣＴにより固着する場合は、配置変更が容易となり、前記家具の配置変更を行う場合においても、前記カーペットタイルＣＴの固着位置を変更することにより、容易に対応することができる。
【符号の説明】
【００７２】
１０    本発明に係る建物内部の視覚障害者誘導システムを採用した住居
１１    玄関
１２    廊下
１３    トイレ
１３ｄ  ドア
１４    洗面所
１５    浴室
１６    ダイニング
１６ａ  硝子戸
１６ｄ  ドア
１７    キッチン
１８    リビング
１８ａ  硝子戸
１９    洋室
１９ａ  硝子窓
１９ｄ  ドア
２０    和室
２０ａ  硝子窓
２０ｄ  襖
３０    壁面Ｗに貼られた誘導部材
４０    床面Ｆに貼られた誘導部材
５０（５０ａ，５０ｂ，５０ｃ，５０ｄ）    方向指示部
６０（６０ａ，６０ｂ，６０ｃ）            注意喚起部
７０    指輪
７１    手袋
７１ｂ  磁石部
７２    靴下
７２ｂ  磁石部
７３    足袋
７３ｂ  磁石部
Ｗ      壁面
Ｆ      床面
ＣＴ    カーペットタイル
【図１】
2011125443.tif 000003
【図２】
2011125443.tif 000004
【図３】
2011125443.tif 000005
【図４】
2011125443.tif 000006
【図５】
2011125443.tif 000007
【図６】
2011125443.tif 000008
【図７】
2011125443.tif 000009
【図８】
2011125443.tif 000010
【図９】
2011125443.tif 000011
【図１０】
2011125443.tif 000012
【図１１】
2011125443.tif 000013
【図１２】
2011125443.tif 000014
【図１３】
2011125443.tif 000015
【図１４】
2011125443.tif 000016
【図１５】
2011125443.tif 000017
【図１６】
2011125443.tif 000018
【図１７】
2011125443.tif 000019
【図１８】
2011125443.tif 000020